(57)【要約】　　　（修正有）【課題】簡易な構造でバネの剛性を補強し、変形量を減少させるバネ補強器を提供する。【解決手段】弾性、可撓性を有する材質によってなり、バネＡを形成する線材が二周りして形成される隙間と略同一の厚さに形成される環状の部材であって、円周上に切断部１０を形成し、かつ上面には円周上の対向する位置に少なくとも一対以上の固定バンド２を通過させる固定溝１３を形成するとともに、外周縁部の底面にはバネに当接する位置決め面１１を形成してなり、バネの隙間Ｂに挿設して固定バンドで締結する。【選択図】　図８
0003098418.tif 000002
【実用新案登録請求の範囲】
【請求項１】
コイルバネを形成する線材が二周りして形成される隙間と略同一の厚さに形成される環状の部材であって、円周上に切断部を形成し、かつ上面には円周上の対向する位置に少なくとも一対以上の固定バンドを通過させる固定溝を形成するとともに、外周縁部の底面にはバネに当接する位置決め面を形成してなり、
バネの隙間に挿設し、固定バンドで締結してバネの補強をすることを特徴とするバネ補強器。
【請求項２】
前記位置決め面の円心側を当接端縁部とし、かつ該当接端縁部から位置決め面の底面に勾配を形成するように該位置決め面の底面の位置を高くしてなることを特徴とする請求項１に記載のバネ補強器。
【請求項３】
前記位置決め面の外周縁部に当接端縁部を突起して形成し、かつ該当接端縁部から位置決め面の底面に勾配を形成してなることを特徴とする請求項１に記載のバネ補強器。
【請求項４】
前記位置決め面の円心側と、外周端縁部とを当接端縁部とし、かつ両当接端縁部から位置決め面の底面に勾配を形成するように該位置決め面の底面の位置を高くしてなることを特徴とする請求項１に記載のバネ補強器。
【請求項５】
前記固定溝が、円周上の対向する位置に側面を貫通するように形成する少なくとも一対以上の側面固定孔であることを特徴とするバネ補強器。
【考案の詳細な説明】
【０００１】
【考案の属する技術分野】
この考案は、ばねの補強器に関し、特にばねの剛性を強化して圧縮量を減少させるバネの補強器に関する。
【０００２】
【従来の技術】
車両用のダンパーを含む緩衝装置の技術分野において、緩衝の耐衝撃性を考慮することは極めて重要な項目である。ダンパーは、車輌がカーブする場合、その圧縮のストロークにおいて極めて大きい圧縮量が発生し、側面に傾斜する力を受ける。車輌がカーブする場合に発生するこのような力に対して、圧縮特性に優れたバネに交換して圧縮量を減少するか、もしくは別途傾斜防止桿を設ける方法が考えられる。但し、かかる解決方法は、製造コストが高くなる。また、車両にすでに取り付けられたダンパーを改造するためには、ダンパーを一旦取り外してバネを交換しなければならず、かなりの時間と費用が発生する。
【０００３】
中国特許第９３２０６１０７．９号には２本のバネと２本のダンパーを具えてなる緩衝装置が開示される。係る緩衝装置は、上下の取り付け座が余剰の応力の負担を受ける。このため、余剰の構造を設けて全体的な構造を強化しなければならず、重量の増加につながる。この点が欠点と言える。
【０００４】
【考案が解決しようとする課題】
この考案は、簡易な構造でバネの剛性を補強し、変形量を減少させることのできるバネ補強器を提供することを課題とする。
【０００５】
【課題を解決するための手段】
そこで、本考案者は従来の技術に見られる欠点に鑑み鋭意研究を重ねた結果、バネの隙間に挿設して用いるバネ補強器であって、コイルバネを形成する線材が二周りして形成される隙間と略同一の厚さに形成され、円周上に切断部を形成してなる環状体であって、その上面には円周上の対向する位置に少なくとも一対以上の固定バンドを通過させる固定溝を形成するとともに、外周縁部の底面にはバネに当接する位置決め面を形成してなるバネ補強器の構造によって課題を解決できる点に着眼し、かかる知見に基づいて本考案を完成させた。
【０００６】
以下、この考案について具体的に説明する。
請求項１に記載するバネ補強器は、コイルバネを形成する線材が二周りして形成される隙間と略同一の厚さに形成される環状の部材であって、円周上に切断部を形成し、かつ上面には円周上の対向する位置に少なくとも一対以上の固定バンドを通過させる固定溝を形成するとともに、外周縁部の底面にはバネに当接する位置決め面を形成してなり、バネの隙間に挿設し、固定バンドで締結してバネの補強をする。
【０００７】
請求項２に記載するバネ補強器は、請求項１における位置決め面の円心側を当接端縁部とし、かつ該当接端縁部から位置決め面の底面に勾配を形成するように該位置決め面の底面の位置を高くしてなる。
【０００８】
請求項３に記載するバネ補強器は、請求項１における位置決め面の外周縁部に当接端縁部を突起して形成し、かつ該当接端縁部から位置決め面の底面に勾配を形成してなる。
【０００９】
請求項４に記載するバネ補強器は、請求項１における位置決め面の円心側と、外周端縁部とを当接端縁部とし、かつ両当接端縁部から位置決め面の底面に勾配を形成するように該位置決め面の底面の位置を高くしてなる。
【００１０】
請求項５に記載するバネ補強器は、請求項１における固定溝が、円周上の対向する位置に側面を貫通するように形成する少なくとも一対以上の側面固定孔である。
【００１１】
【考案の実施の形態】
この考案は、バネの剛性を強化し、圧縮量を減少させるバネの補強器を提供するものであって、バネの隙間に挿設する環状の補強器である。
係るバネ補強器の構造と特徴を詳述するために、具体的な実施例を挙げ、図示を参照にして以下に説明する。
【００１２】
【実施例】
この考案によるバネ補強器は、図１に開示するように、バネ（Ａ）と、バネ（Ａ）の隙間（Ｂ）に挿接するバネ補強器（１）であって、弾性、可撓性を有する材質を環状に形成してなる。
【００１３】
図１、図８に開示するように、バネ補強器（１）は、バネ（Ａ）を形成する線材が二周りして形成される隙間（Ｂ）と略同一の厚さに形成され、円周上に切断部（１０）を形成する。
【００１４】
図２、図８に開示するように、バネ補強器（１）の上面には、円周上の対向する位置に少なくとも一対以上の側壁を貫通する固定孔（１２）を形成し、固定バンド（２）を該固定孔（１２）に通過させてバネ補強器（１）をバネ（Ａ）に締結する。また、固定孔（１２）は、図２に開示するように、バネ補強器（１）の上面に形成する固定溝（１３）であってもよく、同様に円周上の対向する位置に少なくとも一対以上形成し、固定バンド（２）を通過させてバネ補強器（１）を締結する。
【００１５】
バネ補強器（１）の底面は、図３に開示するように円周に沿って外縁部底面を位置決め面（１１）とし、該位置決め面（１１）がバネ（Ａ）に当接して位置決めする。但し、位置決め面（１１）は、平面状に形成する以外に、図４に開示するように、位置決め面（１１）の円心側を当接端縁部（１１０）とし、かつ当接端縁部（１１０）から位置決め面（１１）の底面に勾配を形成するように、位置決め面（１１）の底面の位置を高くしてもよい。この場合、バネ（Ａ）は、位置決め面（１１）の底面と傾斜面とに当接する。
【００１６】
また、図５に開示するように、位置決め面（１１）の外周縁部に当接端縁部（１１０）を突起して形成し、かつ当接端縁部（１１０）から位置決め面（１１）の底面に勾配を形成してもよい。
【００１７】
さらに、図７に開示するように、位置決め面（１１）の円心側と、外周端縁部とを当接端縁部（１１０）とし、かつ両当接端縁部（１１０）から位置決め面（１１）の底面に勾配を形成するように該位置決め面（１１）の底面の位置を高くしてもよい。この場合、位置決め面（１１）は、凹状に形成する。
【００１８】
図８に開示するように、この考案によるバネ補強器（１）は、コイルバネであるバネ（Ａ）の隙間に挿設し、固定バンド（２）で締結する。この場合、外周に沿って底面に形成した位置決め面（１１）、もしくは位置決め面（１１）と当接端縁部（１１０）の傾斜面がバネ（Ａ）に当接して位置決めされる。係るバネ補強器（１）を設けたバネ（Ａ）は、圧縮の過程における弾性係数が増加し、バネの負荷能力を増強するとともに、同様の負荷条件において、バネ補強器（１）を設けないバネに比して変形量を減少させることができる。
【００１９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の特許請求の範囲実用新案登録請求の範囲に属するものとする。
【００２０】
【考案の効果】
この考案によるバネ補強器は、簡易な構造で取り付けが容易であり、コイルバネの剛性を強化し、圧縮量を減少させる効果を具え、かつ実用性を具える。
【図面の簡単な説明】
【図１】この考案によるバネ補強器と、バネを表わす斜視図である。
【図２】図１に開示するバネ補強器の平面図であって、上面に固定溝を形成した例を表わす。
【図３】図２に開示するバネ補強器の断面図であって、平坦な位置決め面を形成した例を表わす。
【図４】図２に開示するバネ補強器の断面図であって、円心側に当接端縁部を形成した例を表わす。
【図５】図２に開示するバネ補強器の断面図であって、外縁部に当接端縁部を形成した例を表わす。
【図６】図１に開示するバネ補強器の平面図である。
【図７】図６に開示するバネ補強器の断面図であって、円心側と、外端縁部に当接端縁部を形成した例を表わす。
【図８】この考案によるバネ補強器の使用態様を表わす断面図である。
【符号の説明】
Ａ　　　　　　　バネ
Ｂ　　　　　　　隙間
１　　　　　　　バネ補強器
１０　　　　　　切断部
１１　　　　　　位置決め面
１１０　　　　　当接端縁部
１２　　　　　　固定孔
１３　　　　　　固定溝
２　　　　　　　固定バンド
【図１】
0003098418.tif 000003
【図２】
0003098418.tif 000004
【図３】
0003098418.tif 000005
【図４】
0003098418.tif 000006
【図５】
0003098418.tif 000007
【図６】
0003098418.tif 000008
【図７】
0003098418.tif 000009
【図８】
0003098418.tif 000010
【手続補正書】
【提出日】平成15年7月9日(2003.7.9)
【手続補正１】
【補正対象書類名】明細書
【補正対象項目名】請求項５
【補正方法】変更
【補正の内容】
【請求項５】
前記固定溝が、円周上の対向する位置に側面を貫通するように形成する少なくとも一対以上の側面固定孔であることを特徴とする請求項１に記載のバネ補強器。